(57)【要約】【課題】管球部における失透の発生を抑制することが可能な光源装置を提供する。【解決手段】発光部１３を内包する管球部１２及び管球部１２の両側に延びる一対の封止部１４，１６を有する高圧水銀ランプ１０と、第１封止部１４に配設され、発光部１３から射出される光を被照明領域へ向けて反射するリフレクター２０と、発光部１３から射出される光のうちリフレクター２０には直接入射しない光の一部又は全部を発光部１３に向けて反射する副鏡３０とを備える光源装置であって、副鏡３０の反射面３４には、紫外光を吸収して可視光を放出する蛍光体を含有する蛍光層３６が形成されていることを特徴とする光源装置１１０。【選択図】図２
2011100630.tif 000002
【特許請求の範囲】
【請求項１】
発光部を内包する管球部及び前記管球部の両側に延びる一対の封止部を有する高圧水銀ランプと、
前記一対の封止部のうち所定の第１封止部に配設され、前記発光部から射出される光を被照明領域へ向けて反射するリフレクターと、
前記発光部から射出される光のうち前記リフレクターには直接入射しない光の一部又は全部を前記発光部に向けて反射する副鏡とを備える光源装置であって、
前記副鏡の反射面には、紫外光を吸収して可視光を放出する蛍光体を含有する蛍光層が形成されていることを特徴とする光源装置。
【請求項２】
請求項１に記載の光源装置において、
前記副鏡は、前記一対の封止部のうち前記第１封止部とは異なる第２封止部に配設され、前記発光部から被照明領域側に射出される光の一部又は全部を前記発光部に向けて反射することを特徴とする光源装置。
【請求項３】
請求項１に記載の光源装置において、
前記リフレクターは、回転中心軸を含む所定の平面で切断したときに一方側の少なくとも端部が削除された形状を有し、
前記副鏡は、前記管球部における前記一方側を覆うように配設され、前記発光部から前記一方側に射出される光の一部又は全部を前記発光部に向けて反射することを特徴とする光源装置。
【請求項４】
請求項１〜３のいずれかに記載の光源装置において、
前記蛍光体は、可視光として赤色光を放出することを特徴とする光源装置。
【請求項５】
請求項１〜４のいずれかに記載の光源装置において、
前記蛍光層は、前記蛍光体として２種類以上の蛍光体を含有することを特徴とする光源装置。
【請求項６】
請求項１〜５のいずれかに記載の光源装置において、
前記蛍光層は、前記副鏡の反射面全面に形成されていることを特徴とする光源装置。
【請求項７】
請求項１〜５のいずれかに記載の光源装置において、
前記蛍光層は、前記副鏡の反射面に部分的に形成されていることを特徴とする光源装置。
【請求項８】
請求項１〜７のいずれかに記載の光源装置を備える照明装置と、
前記照明装置からの照明光を画像情報に応じて変調する光変調装置と、
前記光変調装置からの変調光を投写画像として投写する投写光学系とを備えることを特徴とするプロジェクター。
【発明の詳細な説明】
【技術分野】
【０００１】
本発明は、光源装置及びプロジェクターに関する。
【背景技術】
【０００２】
従来、発光部を内包する管球部及び管球部の両側に延びる一対の封止部を有する高圧水銀ランプと、一対の封止部のうち所定の第１封止部に配設され、発光部から射出される光を被照明領域へ向けて反射するリフレクターと、発光部から射出される光のうちリフレクターには直接入射しない光の一部又は全部を発光部に向けて反射する副鏡とを備える光源装置が知られている（例えば、特許文献１参照。）。
【０００３】
従来の光源装置によれば、発光部から射出される光のうちリフレクターには直接入射しない光の一部又は全部を発光部に向けて反射する副鏡を備えるため、光源装置の輝度を高くすることが可能となる。
【先行技術文献】
【特許文献】
【０００４】
【特許文献１】特開２００５−５１８３号公報
【発明の概要】
【発明が解決しようとする課題】
【０００５】
ところで、高圧水銀ランプの発光部から射出される光には、管球部を構成する材料（石英ガラス等）の失透を促進する作用を有する紫外光が含まれている。従来の光源装置においては、副鏡によって反射される紫外光が管球部を通過して発光部に到達するため、副鏡によって反射される紫外光の存在により、管球部を通過する紫外光の光量が多くなる。このため、従来の光源装置は、使用環境によっては管球部における失透の発生が増加することがあり、これを抑制する手段が求められている。
【０００６】
そこで、本発明は、上記事情に鑑みてなされたもので、管球部における失透の発生を抑制することが可能な光源装置を提供することを目的とする。また、このような光源装置を備えることによって高圧水銀ランプを交換する頻度を低くすることが可能なプロジェクターを提供することを目的とする。
【課題を解決するための手段】
【０００７】
［１］本発明の光源装置は、発光部を内包する管球部及び前記管球部の両側に延びる一対の封止部を有する高圧水銀ランプと、前記一対の封止部のうち所定の第１封止部に配設され、前記発光部から射出される光を被照明領域へ向けて反射するリフレクターと、前記発光部から射出される光のうち前記リフレクターには直接入射しない光の一部又は全部を前記発光部に向けて反射する副鏡とを備える光源装置であって、前記副鏡の反射面には、紫外光を吸収して可視光を放出する蛍光体を含有する蛍光層が形成されていることを特徴とする。
【０００８】
このため、本発明の光源装置によれば、副鏡の反射面には紫外光を吸収して可視光を放出する蛍光体を含有する蛍光層が形成されていることから、副鏡によって反射される紫外光の光量を従来の光源装置の場合よりも低減することが可能となるため、管球部における失透の発生を抑制することが可能となり、本発明の目的が達成される。
【０００９】
また、本発明の光源装置によれば、以下の（ア）及び（イ）の効果をも得ることができる。
【００１０】
（ア）ところで、紫外光から人体や光学部材を保護するために紫外光フィルターを用いて紫外光を除去することがある。このような場合、紫外光を大きな割合で除去しようとすると、それに応じて可視光も吸収されてしまうため、光源装置の輝度を高くすることが困難となる。これに対して、本発明の光源装置によれば、上記したように副鏡の反射面には紫外光を吸収して可視光を放出する蛍光体を含有する蛍光層が形成されているため、紫外光を除去する割合を低減することが可能となり、可視光の吸収を低減して光源装置の輝度を高くすることが可能となる。
【００１１】
（イ）従来の光源装置においては、副鏡によって反射され発光部に到達した紫外光は、プラズマ化した封入物に一旦吸収され、その後再射出される。このときに紫外光が有するエネルギーの一部が熱となるため、高圧水銀ランプが過熱してしまう場合がある。これに対して、本発明の光源装置によれば、上記したように副鏡の反射面には紫外光を吸収して可視光を放出する蛍光体を含有する蛍光層が形成されているため、プラズマ化した封入物に吸収される紫外光の光量を低減することが可能となり、高圧水銀ランプが過熱することを抑制することが可能となる。
【００１２】
なお、上記（イ）に記載した効果についてより大きな効果を得るためには、蛍光体は、紫外光領域における輝線を十分に吸収するものであることが好ましい。紫外光領域における輝線はプラズマ化した封入物に特に吸収されやすいことから、上記のような構成とすることにより、プラズマ化した封入物に吸収される紫外光の光量を低減することが可能となるため、高圧水銀ランプが過熱することを効果的に抑制することが可能となる。
【００１３】
本明細書において、「高圧水銀ランプ」は、一般的な高圧水銀ランプのみならず超高圧水銀ランプをも含む意味で用いることとする。
【００１４】
［２］本発明の光源装置においては、前記副鏡は、前記一対の封止部のうち前記第１封止部とは異なる第２封止部に配設され、前記発光部から被照明領域側に射出される光の一部又は全部を前記発光部に向けて反射することが好ましい。
【００１５】
本発明は、このように、副鏡を備える高輝度な光源装置において好適に適用することが可能である。
【００１６】
［３］本発明の光源装置においては、前記リフレクターは、回転中心軸を含む所定の平面で切断したときに一方側の少なくとも端部が削除された形状を有し、前記副鏡は、前記管球部における前記一方側を覆うように配設され、前記発光部から前記一方側に射出される光を前記発光部に向けて反射することが好ましい。
【００１７】
本発明は、このように、副鏡を備える薄型の光源装置においても好適に適用することが可能である。
【００１８】
［４］本発明の光源装置においては、前記蛍光体は、可視光として赤色光を放出することが好ましい。
【００１９】
ところで、高圧水銀ランプによる光は一般的に赤色光成分の割合が低いため、光源装置の演色性は低くなる傾向にある。しかしながら、上記のような構成とすることにより、赤色光成分の割合を高くすることが可能となるため、光源装置の演色性を高くすることが可能となる。
【００２０】
また、赤色光はプラズマ化した封入物にほとんど吸収されないため、上記のような構成とすることにより、高圧水銀ランプが過熱してしまうことをさらに強く抑制することが可能となる。
【００２１】
［５］本発明の光源装置においては、前記蛍光層は、前記蛍光体として２種類以上の蛍光体を含有することが好ましい。
【００２２】
このような構成とすることにより、２種類以上の蛍光体を用いて、より広い波長帯において紫外光を吸収することが可能となる。
【００２３】
また、上記のような構成とすることにより、２種類以上の蛍光体を用いて、さまざまな波長帯の可視光を放出することにより光源装置の演色性をさらに高くすることが可能となる。
【００２４】
［６］本発明の光源装置においては、前記蛍光層は、前記副鏡の反射面全面に形成されていることが好ましい。
【００２５】
このような構成とすることにより、管球部における失透の発生を広い面積で抑制することが可能となる。また、当該副鏡は容易に製造することが可能であるため、上記のような構成とすることにより、光源装置の製造コストを低減することが可能となる。
【００２６】
［７］本発明の光源装置においては、前記蛍光層は、前記副鏡の反射面に部分的に形成されていることが好ましい。
【００２７】
このような構成とすることにより、蛍光層から放出される可視光の光量を適正なものとすることが可能となる。例えば、蛍光層が副鏡の反射面全面に形成されていると、放出される可視光の光量が過剰となり、色バランスが悪化する場合がある。このような場合において、副鏡の反射面に蛍光層を部分的に形成することで、可視光の光量を適正なものとすることが可能となる。
【００２８】
［８］本発明のプロジェクターは、本発明の光源装置を備える照明装置と、前記照明装置からの照明光を画像情報に応じて変調する光変調装置と、前記光変調装置からの変調光を投写画像として投写する投写光学系とを備えることを特徴とする。
【００２９】
このため、本発明のプロジェクターは、本発明の光源装置を備えるため、高圧水銀ランプにおける失透の発生を抑制することが可能な光源装置の効果によって、高圧水銀ランプを交換する頻度を低くすることが可能なプロジェクターとなる。
【図面の簡単な説明】
【００３０】
【図１】実施形態１に係るプロジェクター１０００の光学系を示す上面図。
【図２】実施形態１に係る光源装置１１０を説明するために示す図。
【図３】実施形態２に係る光源装置１１２の斜視図。
【図４】実施形態２に係る光源装置１１２を説明するために示す図。
【図５】変形例１における副鏡８０を管球部側から見た図。
【図６】変形例２における副鏡８１を管球部側から見た図。
【発明を実施するための形態】
【００３１】
以下、本発明の光源装置及びプロジェクターについて、図に示す実施の形態に基づいて説明する。
【００３２】
［実施形態１］
図１は、実施形態１に係るプロジェクター１０００の光学系を示す上面図である。図２は、光源装置１１０を説明するために示す図である。図２（ａ）は光源装置１１０の断面図であり、図２（ｂ）は副鏡３０を管球部１２側から見た図であり、図２（ｃ）は図２（ａ）におけるＲ１の範囲を拡大して示す図である。
【００３３】
なお、以下の説明においては、互いに直交する３つの方向をそれぞれｚ軸方向（図１における照明光軸１００ａｘ方向）、ｘ軸方向（図１における紙面に平行かつｚ軸に垂直な方向）及びｙ軸方向（図１における紙面に垂直かつｚ軸に垂直な方向）とする。
また、以下の説明においては、プロジェクター１０００をいわゆる据え置き状態に配置する場合を例示的に示しているため、重力方向は紙面の下側方向（例えば、図２（ａ）においてはｙ（−）方向。）となる。
【００３４】
実施形態１に係るプロジェクター１０００は、図１に示すように、照明光軸１００ａｘに沿う照明光を射出する照明装置１００と、照明装置１００からの照明光を赤色光、緑色光及び青色光の３つの色光に分離して被照明領域に導光する色分離導光光学系２００と、色分離導光光学系２００で分離導光された３つの色光のそれぞれを画像情報に応じて変調する光変調装置としての３つの液晶装置４００Ｒ，４００Ｇ，４００Ｂと、３つの液晶装置４００Ｒ，４００Ｇ，４００Ｂによって変調された各色光を合成するクロスダイクロイックプリズム５００と、クロスダイクロイックプリズム５００によって合成された光をスクリーンＳＣＲ等の投写面に投写する投写光学系６００とを備える。
【００３５】
照明装置１００は、被照明領域側に集束光を射出する光源装置１１０と、光源装置１１０からの集束光を略平行光として射出する凹レンズ９０と、凹レンズ９０から射出される光を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光光に変換して射出する偏光変換素子１４０と、偏光変換素子１４０から射出される各部分光束を被照明領域で重畳させるための重畳レンズ１５０とを有する。
【００３６】
光源装置１１０は、図１及び図２（ａ）に示すように、高圧水銀ランプ１０と、発光部１３から射出される光を被照明領域へ向けて反射するリフレクター２０と、発光部１３から射出される光のうちリフレクター２０には直接入射しない光（発光部１３から被照明領域側に射出される光）の一部を発光部１３に向けて反射する副鏡３０とを備える。光源装置１１０は、回転対称軸２０ａｘを中心軸とする光を射出する。なお、図２（ａ）における回転対称軸２０ａｘは、図１における照明光軸１００ａｘと一致している。
【００３７】
高圧水銀ランプ１０は、発光部１３を内包する管球部１２、管球部１２の両側に延びる一対の封止部１４，１６、リフレクター２０の回転対称軸２０ａｘに沿って配置された一対の電極４２，５２、一対の封止部１４，１６内にそれぞれ封止された一対の金属箔４４，５４及び一対の金属箔４４，５４にそれぞれ電気的に接続された一対のリード線４６，５６を有する。発光部１３は、後述する反射面２４の第１焦点近傍に位置している。
【００３８】
高圧水銀ランプ１０の構成要素の条件等を例示的に示すと、管球部１２及び封止部１４，１６は、例えば石英ガラスからなり、管球部１２内には、水銀、希ガス及び少量のハロゲンが封入されている。電極４２，５２は、例えばタングステン電極であり、金属箔４４，５４は、例えばモリブデン箔である。リード線４６，５６は、例えばモリブデン又はタングステンから構成されている。
【００３９】
リフレクター２０は、図２（ａ）に示すように、高圧水銀ランプ１０の第１封止部１４を挿通・固定するための開口部２２と、光を被照明領域側へ向けて反射する反射面２４とを有する。反射面２４は楕円面であり、第１焦点近傍に位置している発光部１３から射出される光を被照明領域側の第２焦点近傍に集まる集束光として反射する。リフレクター２０は、開口部２２に充填されたセメントなどの無機系接着剤によって一対の封止部１４，１６のうち第１封止部１４に配設されている。
【００４０】
反射面２４を構成する基材の材料としては、例えば、結晶化ガラスやアルミナ（Ａｌ２Ｏ３）などを好適に用いることができる。反射面２４の内面には、例えば、酸化チタン（ＴｉＯ２）と酸化シリコン（ＳｉＯ２）との誘電体多層膜からなる可視光反射層が形成されている。
【００４１】
副鏡３０は、図２（ａ）〜図２（ｃ）に示すように、高圧水銀ランプ１０の第２封止部１６を挿通・固定するための開口部３２と、発光部１３から射出された光を発光部１３へ向けて反射する反射面３４とを有する。副鏡３０は、開口部３２に充填されたセメントなどの無機系接着剤によって一対の封止部１４，１６のうち第１封止部１４とは異なる第２封止部１６に配設されている。
【００４２】
反射面３４を構成する基材の材料としては、例えば、結晶化ガラスやアルミナ（Ａｌ２Ｏ３）などを好適に用いることができる。反射面３４の内面には、例えば、酸化チタン（ＴｉＯ２）と酸化シリコン（ＳｉＯ２）との誘電体多層膜からなる可視光反射層が形成されている。
【００４３】
副鏡３０の反射面３４には、紫外光を吸収して赤色光を放出する１種類の蛍光体を含有する蛍光層３６が形成されている。蛍光層３６は、図２（ｂ）に示すように、反射面３４の全面に形成されている。
【００４４】
蛍光層３６は、例えば、蛍光体と樹脂材料とを複合化した蛍光層原料を、スプレー法やインクジェット法等を用いて反射面３４上に塗布することにより形成することができる。また、蛍光層３６は、蒸着法によって形成することもできるし、所定の蛍光体を含有する蛍光ガラスを反射面３４上に配置することによって形成することもできる。
【００４５】
蛍光体としては、例えば、Ｙ２Ｏ３：Ｅｕ、Ｙ２ＳｉＯ５：Ｅｕ、Ｙ３Ａｌ５Ｏ１２：Ｅｕ、Ｚｎ３（ＰＯ４）２：Ｍｎ、ＹＢＯ３：Ｅｕ、（Ｙ，Ｇｄ）ＢＯ３：Ｅｕ、ＧｄＢＯ３：Ｅｕ、ＳｃＢＯ３：Ｅｕ、ＬｕＢＯ３：Ｅｕ等を用いることができる。
【００４６】
なお、蛍光体は、紫外光領域における輝線を十分に吸収するものであることが好ましい。このような構成とすることにより、プラズマ化した封入物に吸収される紫外光の光量を低減することが可能となるため、高圧水銀ランプが過熱することを効果的に抑制することが可能となる。
【００４７】
凹レンズ９０は、図１に示すように、リフレクター２０の被照明領域側に配置されている。そして、リフレクター２０からの光を第１レンズアレイ１２０に向けて射出するように構成されている。
【００４８】
第１レンズアレイ１２０は、凹レンズ９０からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、液晶装置４００Ｒ，４００Ｇ，４００Ｂの画像形成領域の外形形状に関して相似形である。
【００４９】
第２レンズアレイ１３０は、重畳レンズ１５０とともに、第１レンズアレイ１２０の各第１小レンズ１２２の像を液晶装置４００Ｒ，４００Ｇ，４００Ｂの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００５０】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１１０からの照明光束に含まれる偏光成分のうち一方の直線偏光成分を透過し他方の直線偏光成分を照明光軸１００ａｘに垂直な方向に反射する偏光分離層と、偏光分離層で反射された他方の直線偏光成分を照明光軸１００ａｘに平行な方向に反射する反射層と、偏光分離層を透過した一方の直線偏光成分を他方の直線偏光成分に変換する位相差板とを有する。
【００５１】
重畳レンズ１５０は、第１レンズアレイ１２０、第２レンズアレイ１３０及び偏光変換素子１４０を経た複数の部分光束を集光して液晶装置４００Ｒ，４００Ｇ，４００Ｂの画像形成領域近傍に重畳させるための光学素子である。重畳レンズ１５０の光軸と照明装置１００の照明光軸１００ａｘとが略一致するように、重畳レンズ１５０が配置されている。なお、重畳レンズ１５０は、複数のレンズを組み合わせた複合レンズで構成されていてもよい。第１レンズアレイ１２０、第２レンズアレイ１３０及び重畳レンズ１５０は、光変調装置に入射する光の面内強度分布を均一化する光均一化光学系を構成する。
【００５２】
色分離導光光学系２００は、ダイクロイックミラー２１０，２２０と、反射ミラー２３０，２４０，２５０と、入射側レンズ２６０と、リレーレンズ２７０とを有する。色分離導光光学系２００は、照明装置１００からの照明光を、赤色光、緑色光及び青色光の３つの色光に分離して、それぞれの色光を照明対象となる３つの液晶装置４００Ｒ，４００Ｇ，４００Ｂに導く機能を有する。
【００５３】
液晶装置４００Ｒ，４００Ｇ，４００Ｂの光路前段には、集光レンズ３００Ｒ，３００Ｇ，３００Ｂが配置されている。
【００５４】
液晶装置４００Ｒ，４００Ｇ，４００Ｂは、画像情報に応じて照明光を変調するものであり、照明装置１００の照明対象となる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像情報に従って、入射側偏光板から射出された１種類の直線偏光の偏光方向を変調する。
【００５５】
また、ここでは図示を省略したが、集光レンズ３００Ｒ，３００Ｇ，３００Ｂと各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって入射する各色光の光変調が行われる。
【００５６】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００５７】
クロスダイクロイックプリズム５００から射出されたカラー画像は、投写光学系６００によって拡大投写され、スクリーンＳＣＲ上で大画面画像を形成する。
【００５８】
以上のように構成された実施形態１に係る光源装置１１０によれば、副鏡３０の反射面３４には紫外光を吸収して可視光を放出する蛍光体を含有する蛍光層３６が形成されていることから、副鏡３０によって反射される紫外光の光量を従来の光源装置の場合よりも低減することが可能となるため、管球部１２における失透の発生を抑制することが可能となる。
【００５９】
また、実施形態１に係る光源装置１１０によれば、副鏡３０の反射面３４には紫外光を吸収して可視光を放出する蛍光体を含有する蛍光層３６が形成されているため、プラズマ化した封入物に吸収される紫外光の光量を低減することが可能となり、高圧水銀ランプ１０が過熱することを抑制することが可能となる。
【００６０】
また、実施形態１に係る光源装置１１０によれば、蛍光体が可視光として赤色光を放出するため、赤色光成分の割合を高くすることが可能となり、光源装置１１０の演色性を高くすることが可能となる。
【００６１】
また、実施形態１に係る光源装置１１０によれば、赤色光はプラズマ化した封入物にほとんど吸収されないため、高圧水銀ランプ１０が過熱してしまうことをさらに強く抑制することが可能となる。
【００６２】
また、実施形態１に係る光源装置１１０によれば、蛍光層３６が副鏡３０の反射面３４全面に形成されているため、管球部１２における失透の発生を広い面積で抑制することが可能となる。また、当該副鏡３０は容易に製造することが可能であるため、光源装置１１０の製造コストを低減することが可能となる。
【００６３】
実施形態１に係るプロジェクター１０００は、実施形態１に係る光源装置１１０を備えるため、高圧水銀ランプ１０における失透の発生を抑制することが可能な光源装置１１０の効果によって、高圧水銀ランプ１０を交換する頻度を低くすることが可能なプロジェクターとなる。
【００６４】
本発明は、上記のように、副鏡３０を備える高輝度な光源装置である光源装置１１０において好適に適用することが可能である。
【００６５】
［実施形態２］
図３は、実施形態２に係る光源装置１１２の斜視図である。図４は、実施形態２に係る光源装置１１２を説明するために示す図である。図４（ａ）は光源装置１１２の断面図であり、図４（ｂ）は図４（ａ）におけるＲ２の範囲を拡大して表示する図である。
【００６６】
実施形態２に係る光源装置１１２は、基本的には実施形態１に係る光源装置１１０と同様の構成を有するが、リフレクター及び副鏡の構成が実施形態１に係る光源装置１１０の場合とは異なる。すなわち、実施形態２に係る光源装置１１２においては、図３及び図４（ａ）に示すように、リフレクター６０は、回転中心軸６０ａｘを含む所定の平面で切断したときに一方側（ｙ（−）方向）の端部を含む部分（略半分の反射面。図３及び図４（ａ）の符号６０Ｄ参照。）が削除された形状を有し、副鏡７０は、管球部１２における一方側を覆うように配設され、発光部１３から一方側に射出される光を発光部１３に向けて反射する。
【００６７】
リフレクター６０は、図４（ａ）に示すように、高圧水銀ランプ１０の第１封止部１４及び副鏡７０の開口部７２を挿通・固定するための開口部６２と、光を被照明領域側へ向けて反射する反射面６４とを有する。反射面６４は楕円面であり、第１焦点近傍に位置している発光部１３から射出される光を被照明領域側の第２焦点近傍に集まる集束光として反射する。リフレクター６０は、開口部６２に充填されたセメントなどの無機系接着剤によって一対の封止部１４，１６のうち第１封止部１４に配設されている。
【００６８】
副鏡７０は、図４（ａ）に示すように、高圧水銀ランプ１０の第１封止部１４を挿通・固定するための開口部７２と、発光部１３から射出された光を発光部１３へ向けて反射する反射面７４と、反射面７４を支持する支持部７８とを有する。副鏡７０は、開口部７２に充填されたセメントなどの無機系接着剤によって第１封止部１４に配設されている。
【００６９】
副鏡７０の反射面７４には、図４（ａ）及び図４（ｂ）に示すように、紫外光を吸収して赤色光を放出する蛍光体を含有する蛍光層７６が形成されている。蛍光層７６は、図示による詳しい説明は省略するが、反射面７４の全面に形成されている。
【００７０】
上記のように、実施形態２に係る光源装置１１２は、リフレクター及び副鏡の構成が実施形態１に係る光源装置１１０の場合とは異なるが、副鏡７０の反射面７４には紫外光を吸収して可視光を放出する蛍光体を含有する蛍光層７６が形成されていることから、蛍光層が形成されていない副鏡を備える薄型の光源装置の場合よりも、副鏡７０によって反射される紫外光の光量を低減することが可能となるため、実施形態１に係る光源装置１１０の場合と同様に、管球部１２における失透の発生を抑制することが可能となる。
【００７１】
なお、実施形態２に係る光源装置１１２は、リフレクター及び副鏡の構成以外の点においては、実施形態１に係る光源装置１１０と同様の構成を有するため、実施形態１に係る光源装置１１０が有する効果のうち該当する効果をそのまま有する。
【００７２】
本発明は、上記のように、副鏡７０を備える薄型の光源装置１１２においても好適に適用することが可能である。
【００７３】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００７４】
（１）上記各実施形態においては、プロジェクターとして、紫外光を除去する紫外光フィルターをさらに備えるプロジェクターを用いてもよい。このような構成とすることにより、紫外光から人体や光学部材を保護することが可能となる。このようなプロジェクターを用いる場合であっても、管球部における失透の発生を抑制することが可能となる。また、副鏡の反射面には紫外光を吸収して可視光を放出する蛍光体を含有する蛍光層が形成されているため、紫外光フィルターにおいて紫外光を除去する割合を低減することが可能となり、可視光の吸収を低減して光源装置の輝度を高くすることが可能となる。
【００７５】
（２）上記各実施形態においては、蛍光体が可視光として赤色光を放出するが、本発明はこれに限定されるものではない。蛍光体が赤色光以外の可視光を放出してもよい。
【００７６】
（３）上記各実施形態においては、蛍光層が１種類の蛍光体を含有するが、本発明はこれに限定されるものではない。蛍光層が蛍光体として２種類以上の蛍光体を含有してもよい。このような構成とすることにより、２種類以上の蛍光体を用いて、より広い波長帯において紫外光を吸収することが可能となる。また、２種類以上の蛍光体を用いて、さまざまな波長帯の可視光を放出することにより光源装置の演色性をさらに高くすることが可能となる。
【００７７】
（４）上記各実施形態においては、蛍光層が副鏡の反射面全面に形成されているが、本発明はこれに限定されるものではない。蛍光層が副鏡の反射面に部分的に形成されていてもよい。図５は、変形例１における副鏡８０を管球部側から見た図である。図６は、変形例２における副鏡８１を管球部側から見た図である。変形例１における副鏡８０は、図５に示すように、蛍光層８６が同心円状に形成されており、変形例２における副鏡８１は、図６に示すように蛍光層８８が放射状に形成されている。このような構成とすることにより、蛍光層から放出される可視光の光量を適正なものとすることが可能となる。
【００７８】
（５）上記実施形態２においては、副鏡７０が第１封止部１４に配設されているが、本発明はこれに限定されるものではない。副鏡が第２封止部に配設されていてもよい。
【００７９】
（６）上記各実施形態においては、リフレクターにおける反射面は楕円面であるが、本発明はこれに限定されるものではない。リフレクターにおける反射面が放物面であってもよい。
【００８０】
（７）上記各実施形態においては、光均一化光学系として、レンズアレイからなるレンズインテグレータ光学系を用いたが、本発明はこれに限定されるものではない。ロッド部材からなるロッドインテグレータ光学系を用いてもよい。
【００８１】
（８）上記各実施形態においては、プロジェクターは透過型のプロジェクターであるが、本発明はこれに限定されるものではない。本発明は反射型のプロジェクターにも適用することが可能である。ここで、「透過型」とは、透過型の液晶装置等のように光変調手段としての光変調装置が光を透過するタイプであることを意味しており、「反射型」とは、反射型の液晶装置等のように光変調手段としての光変調装置が光を反射するタイプであることを意味している。反射型のプロジェクターにこの発明を適用した場合にも、透過型のプロジェクターと同様の効果を得ることができる。
【００８２】
（９）上記各実施形態においては、３つの液晶装置４００Ｒ，４００Ｇ，４００Ｂを用いたプロジェクターを例示して説明したが、本発明はこれに限定されるものではない。１つ、２つ又は４つ以上の液晶装置を用いたプロジェクターにも適用可能である。
【００８３】
（１０）上記各実施形態においては、光変調装置として液晶装置を用いたが、本発明はこれに限定されるものではない。光変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【００８４】
（１１）本発明は、投写画像を観察する側から投写するフロント投写型プロジェクターに適用する場合にも、投写画像を観察する側とは反対の側から投写するリア投写型プロジェクターに適用する場合にも可能である。
【００８５】
（１２）上記各実施形態においては、本発明の光源装置をプロジェクターに適用した例について説明したが、本発明はこれに限定されるものではない。例えば、本発明の光源装置を他の光学機器（例えば、光ディスク装置、自動車のヘッドランプ等。）に適用することもできる。
【符号の説明】
【００８６】
１０…高圧水銀ランプ、１２…管球部、１３…発光部、１４…第１封止部、１６…第２封止部、２０，６０…リフレクター、２０ａｘ，６０ａｘ…回転対称軸、２２，６２…（リフレクターの）開口部、２４，６４…（リフレクターの）反射面、３０，７０，８０，８１…副鏡、３２，７２，８２…（副鏡の）開口部、３４，７４，８４…（副鏡の）反射面、３６，７６，８６，８８…蛍光層、４２，５２…電極、４４，５４…金属箔、４６，５６…リード線、６０Ｄ…略半分の反射面、７８…支持部、９０…凹レンズ、１００…照明装置、１００ａｘ…照明光軸、１１０，１１２…光源装置、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…液晶装置、５００…クロスダイクロイックプリズム、６００…投写光学系、１０００…プロジェクター、ＳＣＲ…スクリーン
【図１】
2011100630.tif 000003
【図２】
2011100630.tif 000004
【図３】
2011100630.tif 000005
【図４】
2011100630.tif 000006
【図５】
2011100630.tif 000007
【図６】
2011100630.tif 000008